(57)【要約】      （修正有）【課題】  誤った蛍光ランプからのコネクタを点灯装置のコネクタに接続しても点灯回路が動作できないようにする。【解決手段】  第一点灯回路１１の４出力と第二蛍光ランプ１６の４入力を前記一対のコネクタ１３、１４と同一のコネクタ１３、１４で接続可能である。第二点灯回路１５の４出力と第一蛍光ランプ１２の４入力を前記一対のコネクタ１３、１４と同一のコネクタ１３、１４で接続可能である。第一、第二蛍光ランプ１２、１６の一対のフィラメントの一方同士を蛍光ランプ１２、１６側のコネクタ１４、１４に対して互いにクロス接続関係とし、これに対応して第一、第二点灯回路１１、１５の出力を点灯回路側のコネクタ１３に対して互いにクロス接続関係とし、さらに、第一、第二点灯回路１１、１５に蛍光ランプ１２、１６のフィラメント(f)の電圧を検出する検出回路２１を設ける。【選択図】  図１
2006185818.tif 000002
【特許請求の範囲】
【請求項１】
第一点灯回路の４出力と第一蛍光ランプの４入力を一対のコネクタで接続可能であり、第二点灯回路の４出力と第二蛍光ランプの４入力を前記一対のコネクタと同一のコネクタで接続可能であり、第一点灯回路の４出力と第二蛍光ランプの４入力を前記一対のコネクタと同一のコネクタで接続可能であり、第二点灯回路の４出力と第一蛍光ランプの４入力を前記一対のコネクタと同一のコネクタで接続可能である蛍光ランプ点灯装置であって、第一、第二蛍光ランプの一対のフィラメントの一方同士を蛍光ランプ側のコネクタに対して互いにクロス接続関係とし、これに対応して第一、第二点灯回路の出力を点灯回路側のコネクタに対して互いにクロス接続関係とし、さらに、第一、第二点灯回路に蛍光ランプのフィラメントの電圧を検出する検出回路を設け、検出回路が所定電圧以上を検出した場合に第一、第二点灯回路は動作停止される蛍光ランプ点灯装置。
【発明の詳細な説明】
【技術分野】
【０００１】
本発明は、蛍光ランプ点灯装置に関する。
【背景技術】
【０００２】
特許文献１など一般的な蛍光ランプ点灯装置では、異なるワット数の蛍光ランプが誤接続されるおそれは殆どない。
【特許文献１】特開２００３−１９７３９４号公報
【発明の開示】
【発明が解決しようとする課題】
【０００３】
しかし、点灯装置のコネクタと蛍光ランプからのコネクタとを接続するような照明器具の仕様では、点灯装置内の点灯回路仕様を使用される複数の蛍光ランプに対応して別々に設計していても、点灯装置と蛍光ランプの接続に必要な４極のコネクタは品種が少なく、コネクタの取付手段を共通化した場合などでは明確に異なる他の品種のコネクタを採用できないのが普通であり、点灯装置のコネクタに対して異なる蛍光ランプ（例えばＦＨＤ４０とＦＨＣ２０）からのコネクタを接続可能となる問題を生じてしまう。そうすると、例えば、誤った蛍光ランプの使用により異常な高出力状態となって発熱が過大になったり、蛍光ランプが早期寿命劣化するなどの問題が発生する。本発明はこのような解決すべき課題を鑑み、誤った蛍光ランプからのコネクタを点灯装置のコネクタに接続しても点灯回路が動作できない蛍光ランプ点灯装置を提供することを目的とする。
【課題を解決するための手段】
【０００４】
本発明を要約すると、第一点灯回路の４出力と第一蛍光ランプの４入力を一対のコネクタで接続可能であり、第二点灯回路の４出力と第二蛍光ランプの４入力を前記一対のコネクタと同一のコネクタで接続可能であり、第一点灯回路の４出力と第二蛍光ランプの４入力を前記一対のコネクタと同一のコネクタで接続可能であり、第二点灯回路の４出力と第一蛍光ランプの４入力を前記一対のコネクタと同一のコネクタで接続可能である蛍光ランプ点灯装置であって、第一、第二蛍光ランプの一対のフィラメントの一方同士を蛍光ランプ側のコネクタに対して互いにクロス接続関係とし、これに対応して第一、第二点灯回路の出力を点灯回路側のコネクタに対して互いにクロス接続関係とし、さらに、第一、第二点灯回路に蛍光ランプのフィラメントの電圧を検出する検出回路を設け、検出回路が所定電圧以上を検出した場合に第一、第二点灯回路は動作停止される蛍光ランプ点灯装置である。
【発明の効果】
【０００５】
本発明によれば、第一、第二蛍光ランプの一対のフィラメントの一方同士を蛍光ランプ側のコネクタに対して互いにクロス接続関係とし、これに対応して第一、第二点灯回路の出力を点灯回路側のコネクタに対して互いにクロス接続関係とし、さらに、第一、第二点灯回路に蛍光ランプのフィラメントの電圧を検出する検出回路を設け、検出回路が所定電圧以上を検出すると、第一、第二点灯回路は動作停止される。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、図２のように第一点灯回路１１の４出力と第一蛍光ランプ１２の４入力を一対のコネクタ１３(端子1〜4)、１４(端子1'〜4')で接続可能であり、図３のように第二点灯回路１５の４出力と第二蛍光ランプ１６の４入力を前記一対のコネクタ１３、１４と同一のコネクタ１３、１４で接続可能であり、図４、５のように第一点灯回路１１の４出力と第二蛍光ランプ１６の４入力を前記一対のコネクタ１３、１４と同一のコネクタ１３、１４で接続可能であり、図６、７のように第二点灯回路１５の４出力と第一蛍光ランプ１２の４入力を前記一対のコネクタ１３、１４と同一のコネクタ１３、１４で接続可能である蛍光ランプ点灯装置である。そして、第一、第二蛍光ランプ１２、１６の一対のフィラメント(f,f)の一方同士を蛍光ランプ１２、１６側のコネクタ１４、１４に対して互いにクロス接続関係とし、これに対応して第一、第二点灯回路１１、１５の出力を点灯回路側のコネクタ１３に対して互いにクロス接続関係とし、さらに、第一、第二点灯回路１１、１５に蛍光ランプ１２、１６のフィラメント(f)の電圧を検出する検出回路２１を設け、検出回路２１が所定電圧以上を検出した場合に第一、第二点灯回路１１、１５は動作停止されるものである。
【０００８】
さらに詳述すれば、第一、第二点灯回路１１、１５は直流電源Vdcが供給されて交互に開閉する半導体スイッチング素子Q1,Q2を主要素としている。半導体スイッチング素子Q1,Q2中点の高周波出力はコンデンサC1とコイルLを介して第一または第二蛍光ランプ１２または１６に供給され、一対のフィラメント(f,f)の二次側にはコンデンサC2が並列接続されている。検出回路２１のトランジスタQ3のベースには抵抗R2,R3の接続点電圧が接続され、抵抗R2,R3の両端にはC-D間電圧が印加される。また、直流電源Vdcから抵抗R1を介して抵抗R2に接続されている。トランジスタQ3の出力コレクタは抵抗R4で電圧V+にプルアップされた状態でコンパレータCPの反転入力(-)に接続され、非反転出力(+)には参照電圧Vが接続されている。
【０００９】
接続された蛍光ランプ１２または１６は検出回路２１で検出されて、コンパレータCPの出力がHまたはLになって判別され、DRIVERを介して第一、第二点灯回路１１、１５の動作が開始または停止される。図２、３の正常接続時では、C-D間電圧はフィラメントfの低抵抗値Rfのために低くなってトランジスタQ3はオフし、そのコレクタはHighレベルとなり、第一、第二点灯回路１１、１５は動作して、蛍光ランプ１２または１６は点灯する。図４〜７の誤接続時では、C-D間電圧は高くなってトランジスタQ3はオンし、そのコレクタはLowレベルとなり、第一、第二点灯回路１１、１５は停止して、蛍光ランプ１２または１６は点灯しない。
【００１０】
また、図８のように、第一または第二点灯回路１１または１５を収めた点灯装置３１は図外の引掛ローゼット(天井設置)に接続され、第一または第二蛍光ランプ１２または１６からのリード線群３２先端のコネクタ１４は、その各端子1',2',3',4'が点灯装置３１のコネクタ１３の各端子1,2,3,4に対して差し込み接続されて使用される。なお、図の複雑化を避けるため、点灯装置３１と係止などして使用される照明器具本体(蛍光ランプ１２または１６が取り付けられる)は省略した。
【図面の簡単な説明】
【００１１】
【図１】本発明の実施形態を示す回路図
【図２】第一点灯回路と第一蛍光ランプによる正常接続図
【図３】第二点灯回路と第二蛍光ランプによる正常接続図
【図４】第一点灯回路と第二蛍光ランプによる誤接続図
【図５】同等価回路図
【図６】第二点灯回路と第一蛍光ランプによる誤接続図
【図７】同等価回路図
【図８】点灯装置と蛍光ランプ側コネクタの非接続時斜視図
【符号の説明】
【００１２】
１１  第一点灯回路
１２  第一蛍光ランプ
１３、１４  コネクタ
１５  第二点灯回路
１６  第二蛍光ランプ
【図１】
2006185818.tif 000003
【図２】
2006185818.tif 000004
【図３】
2006185818.tif 000005
【図４】
2006185818.tif 000006
【図５】
2006185818.tif 000007
【図６】
2006185818.tif 000008
【図７】
2006185818.tif 000009
【図８】
2006185818.tif 000010